(57)【要約】【課題】本発明は、空気の流れ、空気圧等（以下「空気圧」という。）を利用した揚排水ポンプに関する発明である。【構成】本発明は、上記の課題を解決するために、空気吸入口と空気吐出口が形成されている上ケーシングカバー内に、突出部を前記空気吐出口に接続するとともに空気用羽根車を内部に設け、空気流入口を設けた上ケーシングを内蔵した空気用ポンプ部と、水吸込口と水吐出口が形成されている下ケーシングカバー内に、突出部を前記水吐出口に接続するとともに水用羽根車を内部に設け、水流入口を設けた下ケーシングを内蔵した水用ポンプ部とからなり、前記空気用羽根車の回転に連動して回転する前記水用羽根車により水を流入及び吐出するようにしたことを特徴とする空気圧を利用した揚排水ポンプの構成とした。【選択図】　図１
2004076598.tif 000002
【特許請求の範囲】
【請求項１】
空気吸入口と空気吐出口が形成されている上ケーシングカバー内に、突出部を前記空気吐出口に接続するとともに空気用羽根車を内部に設け、空気流入口を設けた上ケーシングを内蔵した空気用ポンプ部と、水吸込口と水吐出口が形成されている下ケーシングカバー内に、突出部を前記水吐出口に接続するとともに水用羽根車を内部に設け、水流入口を設けた下ケーシングを内蔵した水用ポンプ部とからなり、前記空気用羽根車の回転に連動して回転する前記水用羽根車により水を流入及び吐出するようにしたことを特徴とする空気圧を利用した揚排水ポンプ。
【請求項２】
水吐出口に圧力調整器を取り付けたことを特徴とする請求項１記載の空気圧を利用した揚排水ポンプ。
【請求項３】
空気吐出口に家庭用掃除機又は業務用掃除機のいずれかを接続したことを特徴とする空気圧を利用した揚排水ポンプ。
【請求項４】
水用ポンプ部に洗浄剤投入口を設けたことを特徴とする請求項１、請求項２又は請求項３に記載の空気圧を利用した揚排水ポンプ
【請求項５】
上ケーシングカバ、上ケーシング、下ケーシングカバー及び下ケーシングのいずれをも透明又は半透明のいずれかとしたことを特徴とする請求項１、請求項２、請求項３又は請求項４に記載の空気圧を利用した揚排水ポンプ。
【発明の詳細な説明】
【０００１】
【発明の属する技術分野】
本発明は、空気の流れ、空気圧等（以下「空気圧」という。）を利用した揚排水ポンプに関する発明である。
【０００２】
【従来の技術】
従来、ポンプは、揚排水を担う羽根車と、羽根車を駆動させるための駆動源としてのモーターとからなり、羽根車とモーターが一体となり揚排水を行うものである。
【０００３】
【発明が解決しようとする課題】
しかしながら、空気圧を利用して駆動するポンプとしては、「ダイアフラムポンプ」、「ベローズポンプ」等の工業用に使用が限られ、大型でかつ強力な揚力を要するものであり、家庭内などで利用できる空気圧を利用して駆動するポンプとしては重量が軽く簡易な揚排水ポンプは存在しなかった。
【０００４】
また、従来の揚排水のためのポンプは、特殊な場合を除けば、駆動に電動モーターを使用しているため、水分、湿気等の多い場所での使用には、漏電防止のために絶縁が必要となり、従来の揚排水のためのポンプは漏電の危険性を常に内包しているとの欠点がある。
【０００５】
更に、既存の空気の流れ、空気圧等を利用した駆動ポンプは、大型でかつ強力な揚力を要するために、家庭内での作業に使用することは不向きであり、家庭内で使用できる簡易な空気圧を利用した揚排水可能なポンプの開発が所望されていた。
【０００６】
そこで、空気圧を利用したポンプで使用し易く製造コストが低廉であり、故障することが極めて少なく耐久性があり、しかも漏電が起こることがないポンプを提供することを目的とするものである。
【０００７】
即ち、本発明は、供給する空気圧を発生する装置と本発明のポンプとを分離独立させることで電気的部分を無くし、本発明のポンプ駆動部分を構造上極めて簡素化したことで軽量とし、日常生活上で必要な場合に手軽に揚排水を行える汎用性に富んだポンプを提供することを目的とするものである。
【０００８】
【課題を解決するための手段】
本発明は、上記の課題を解決するために、空気吸入口と空気吐出口が形成されている上ケーシングカバー内に、突出部を前記空気吐出口に接続するとともに空気用羽根車を内部に設け、空気流入口を設けた上ケーシングを内蔵した空気用ポンプ部と、水吸込口と水吐出口が形成されている下ケーシングカバー内に、突出部を前記水吐出口に接続するとともに水用羽根車を内部に設け、水流入口を設けた下ケーシングを内蔵した水用ポンプ部とからなり、前記空気用羽根車の回転に連動して回転する前記水用羽根車により水を流入及び吐出するようにしたことを特徴とする空気圧を利用した揚排水ポンプの構成とした。
【０００９】
【実施例】
以下に、添付図面に基づき、本発明である空気の流れ、空気圧等（空気圧）を利用した揚排水ポンプ（以下「空気圧を利用した揚排水ポンプ」という）について詳細に説明する。図１は本発明である空気圧を利用した揚排水ポンプの全体構造を示す斜視図、図２は本発明であるである空気圧を利用した揚排水ポンプの縦断面図である。
【００１０】
図１及び図２に示すように、本発明である空気圧を利用した揚排水ポンプ１は、空気用ポンプ部２と水用ポンプ部６から構成されている。以下に、最初に空気用ポンプ部２について説明し、次に水用ポンプ部６について説明する。
【００１１】
空気用ポンプ部２は、空気吸込口２ｂ及び空気吐出口２ｃを設けた上ケーシングカバー２ａと、前記ケーシングカバー２ａの内部に設置した上ケーシング３と、前記上ケーシング３の内部に設置した空気用羽根車４とからなる。
【００１２】
上ケーシングカバー２ａは、中空の略円盤型でその外周面からは外方に突出するように空気吸込口２ｂが設けられている。前記空気吸込口２ｂの反対側で対角線からやや空気吸込口２ｂ寄りの位置の外周面に空気吐出口２ｃが設けられている。
【００１３】
上ケーシングカバー２ａは、透明の樹脂又は半透明の樹脂で成型されているため、小型であるとともに軽量であり、耐腐食性に優れ、かつ内部構造及び流体の流れを監視することが可能となる。
【００１４】
上ケーシングカバー２ａの内部には、上ケーシング３が設置されている。上ケーシング３の頂部には円形の空気流入口３ａが設けられていて、前記上ケーシング３の一部が円筒状に突出し上ケーシングカバー２ａに形成されている空気吐出口２ｃに接続している。
【００１５】
上ケーシング３は、上ケーシングカバー２ａと同様に、透明樹脂又は半透明樹脂で成型することにより、小型とすることができるとともに軽量とすることができ、空気用ポンプ部２の内部の構造を見ることが可能である。このように、透明又は半透明とすることにより、流体の流れ及び内部の故障を即座に発見でき、修理し易くなる。
【００１６】
図２に示すように、上ケーシング３の内部には、空気を効率的に流入し流出させるために空気用羽根車４が回転可能に取り付けられている。空気用羽根車４は、回転軸５と回転軸５に固定されている回転板５ａと回転板５ａの上面に固定されている複数の湾曲状の羽根４ａとからなる。
【００１７】
空気用羽根車４を構成する羽根４ａは、回転軸５の中心軸から先端部４ｂにかけて左方向に湾曲している。しかも、羽根４ａの先端部４ｂは上下の幅が狭く、回転軸５寄りの基部４ｃは上下の幅は大きい。
【００１８】
空気用ポンプ部２を駆動する際は、空気吐出口２ｃに電気掃除機のホースを接続し使用する。空気吐出口２ｃに電気掃除機のホースを接続し、空気吐出口２ｃから空気を矢印１１のように吐出させると、空気吸込口２ｂから矢印１１ａ方向に上ケーシングカバー２ａ内に空気が吸い込まれ、吸い込まれた空気は空気流入口３ａから上ケーシング３内に流入する。
【００１９】
空気流入口３ａから流入した空気は、空気用羽根車４が回転することにより、矢印１１ｂの方向に送り出されて空気吐出口２ｃから、電気掃除機のホースに吸い込まれていく。上ケーシングカバー２ａ及び上ケーシング３を透明又は半透明の樹脂で成型されることにより、前記した流体の流れを監視することが可能である。
【００２０】
空気用羽根車４の中心には、回転軸５が固定されている。前記回転軸５は、上ケーシング３及び上ケーシングカバー２ａをも貫通し、回転軸５の下部には、調整ギアが固定されている。
【００２１】
次に、水用ポンプ部６について説明する。図１及び図２に示すように、水用ポンプ部６は、水吸込口６ｂ及び水吐出口６ｃを設けた下ケーシングカバー６ａと前記下ケーシングカバー６ａ内部に設置した下ケーシング８と前記ケーシング８内部に設置した水用羽根車９から構成されている。
【００２２】
下ケーシングカバー６ａは、空気用ポンプ部２の上ケーシングカバー２ａを逆さにしたような略円盤型の形状をしており、その外周面から突出するように水吸込口６ｂが設けられている。また、前記水吸込口６ｂと隣接して水吐出口６ｃが下ケーシングカバー６ａの外周面から突出するように設けられている。
【００２３】
前記水吐出口６ｃには、圧力調整弁７ａを設けた圧力調整器７が取り付けられている。この圧力調整器７は、水吐出口６ｃから吐き出す水を調節するためのものである。
【００２４】
下ケーシングカバー６ａ内部には、下ケーシング８が設置されている。下ケーシング８は、底部に円形の水流入口８ａが設けられており、下ケーシング８の一部が突出し下ケーシングカバー６ａの水吐出口６ｃに接続されている。
【００２５】
下ケーシング８の内部には、水用羽根車９が設置されている。水用羽根車９は回転板９ａと回転板９ａの中心部に固定されている回転軸９ｂと回転板９ａの下面に固定されている複数の羽根９ｃ、９ｃ、９ｃ・・・とからなる。
【００２６】
水用羽根車９を構成する羽根９ｃは、回転軸９ｂの中心軸から先端部９ｄにかけて左方向に湾曲している。しかも、羽根９ｃの先端部９ｄは上下の幅が狭く、回転軸９ｂ寄りの基部９ｅは上下の幅が大きい。
【００２７】
図１及び図２に示すように、回転板９ａの下面に固定されている複数の羽根９ｃ、９ｃ・・・・が取り付けられ、回転板９ａの中心にはギア５ｃが取り付けられている回転軸９ｂがが回転板９ａに垂直に固定されている。そして、前記ギア５ｃには、調整ギア５ｂが歯合し、調節ギア５ｂには回転軸５に固定されているギア１０が歯合している。
【００２８】
このように、空気用ポンプ部２の空気用羽根車４の回転力が回転軸５により水用ポンプ部６の水用羽根車９に伝達され、水用羽根車９の回転により水が水吸込口６ｂから吸い込まれて水吐出口６ｃから吐出されるのである。
【００２９】
図１及び図２に示したように、本発明である空気圧を利用した揚排水ポンプ１本体には、空気用ポンプ部２にも水用ポンプ部６にもモーター等を駆動するために電気を使用していない。
【００３０】
以下に、図３に示した使用状態を例に本発明である空気圧を利用した揚排水ポンプの使用方法及び構造を説明する。図３は、本発明である空気圧を利用した揚排水ポンプを水槽内の揚排水に使用している状態を示す図である。
【００３１】
本発明である空気圧を利用した揚排水ポンプ１には、電気を駆動源とするモーターがない。本発明である空気圧を利用した揚排水ポンプ１の駆動源としては、家庭用掃除機又は業務用掃除機のホースを接続して利用し、揚排水等の作業に使用する。
【００３２】
図３では、業務用掃除機１７を利用して、本発明である空気圧を利用した揚排水ポンプ１を駆動している。本発明である空気圧を利用した揚排水ポンプ１を使用する場合、空気用ポンプ部２の空気吐出口２ｃに業務用掃除機１７のホース１７ａを接続し、水用ポンプ部６の水吸込口６ｂに給水パイプ１５を接続し、水吐出口６ｃには排水パイプ１４を接続する。排水パイプ１４より排水溝に流れ出る。
【００３３】
本発明である空気圧を利用した揚排水ポンプ１の駆動エネルギーである業務用掃除機１７を駆動すると、業務用掃除機１７の吸込圧力により本発明である空気圧を利用した揚排水ポンプ１が駆動する。
【００３４】
即ち、空気用ポンプ部２の空気吐出口２ｃから業務用掃除機１７の吸引力により空気が空気吐出口２ｃから吐き出されることから空気用ポンプ部２の空気吸入口２ｂから空気用ポンプ部２内に空気が入り込み、図１に示すように、矢印１１、１１ａ、１１ｂのような空気の流れが発生する。
【００３５】
空気用ポンプ部２内での空気の流れは矢印１１に示すように、上ケーシングカバー２ａの空気吸込口２ｂから上ケーシングカバー２ａ内に吸い込まれた空気は、上ケーシング３内部の空気用羽根車４が回転しているために、上ケーシング３の頂部に設けられた空気流入口３ａから上ケーシング３の内部に流れ込む。
【００３６】
上ケーシング３の内部に流入した空気は、矢印１１ｂのようにケーシング３内を通り、空気吐出口２ｃから掃除機１７のホース１７ａへと吐き出される。このように上ケーシング３内を通る空気の圧力により、空気用羽根車４が回転する。
【００３７】
空気用羽根車４が回転することで、空気用羽根車４を構成する回転板５ａの中心に固定されている回転軸５も同時に回転し、ギア５ｂ、５ｃを介して空気用羽根車４の回転力が水用ポンプ部６内の水用羽根車９に伝えられ、水用羽根車９が回転する。
【００３８】
空気用羽根車４の回転力が、ギア５ｂ及び回転板９ａの中心に固定されている回転軸９ｂに取り付けられているギア５ｃに伝達され、水用ポンプ部６内の水用羽根車９が回転し、水用羽根車９の回転力により、水用ポンプ部６が駆動するのである。
【００３９】
即ち、水用羽根車９が回転することで、水用ポンプ部６の下ケーシングカバー６ａに設けられた水吸込口６ｂから水が水用ポンプ部６内に吸い込まれ、矢印１２、１２ａ、１２ｂに示すような水の流れが水用ポンプ部６に発生する。
【００４０】
水用ポンプ部６の下ケーシングカバー６ａに設けられた水吸込口６ｂから下ケーシングカバー６内に吸い込まれた水は、水用羽根車９の羽根９ｃ、９ｃ、９ｃ・・・・が回転する圧力により下ケーシング８の下部に設けられた水流入口８ａからケーシング８の内部に流入する。
【００４１】
ケーシング８の内部に水流入口８ａから流入した水は、矢印１２、１２ａ、１２ｂに示すように、下ケーシング８内部を通り、ケーシングカバー６ａに設けられた水吐出口６ｃから水用ポンプ部６の外部へと吐き出されるのである。
【００４２】
図１に示すように、水吐出口６ｃから吐き出される水の圧力を調整するのが、水吐出口６ｃに取り付けられた圧力調整器７である。圧力調整器７は、前記圧力調整器７に取り付けられた圧力調整弁７ａを締めたり緩めたりすることで吐き出す水の圧力を調整することができる。
【００４３】
このようにして、本発明である空気圧を利用した揚排水ポンプ１は、業務用掃除機１７を駆動エネルギーとして駆動するのである。そのため、空気圧を利用した揚排水ポンプ１の本体には、モーターを駆動するのに電気を使用しないので、本発明であるポンプ１本体を小型化することができるとともに軽量化することができるのである。
【００４４】
図３は、本発明である空気圧を利用した揚排水ポンプを水槽内の揚排水に使用している状態を示す図である。これまでに説明したように、本発明である空気圧を利用した揚排水ポンプ１は、業務用掃除機１７を駆動源として駆動する。
【００４５】
そのため、空気圧を利用した揚排水ポンプ１は、非常に軽量化されており、揚排水ポンプ１には、直接的に電気を使用しないために漏電する心配もなく、液体に浮かべたり液体中に沈めて使用することができる。
【００４６】
図３に示すように、水槽１３内の水を揚排水する場合、本発明である空気圧を利用した揚排水ポンプ１を水槽１３内の液体の上に浮かべて使用する。この時、空気圧を利用した揚排水ポンプ１を液体中に沈めて使用することも可能である。
【００４７】
空気用ポンプ部２の空気吐出口２ｃの先端にホース１６を接続し、ホース１６の先端には業務用掃除機１７のホース１７ａを接続する。この場合、ホースの長さを任意で調節することで、利用範囲を広げることができる。
【００４８】
水用ポンプ部６の水吸込口６ｂの先端には給水パイプ１５を接続し、水吐出口６ｃの先端には排水パイプ１４を接続する。前記給水パイプ１５の先端にはフィルター１５ａを取り付ける。
【００４９】
給水パイプ１５の先端にフィルター１５ａを取り付けることにより、水用ポンプ部６内に吸い込む水からゴミや汚れが取り除かれるため、ゴミや汚れは水槽内に残る。
【００５０】
そのため、水用ポンプ部６内に吸い込まれ、水吐出口６ｃから吐き出され排水溝へと揚排される水はゴミや汚れが混合することなく排水されるので、そのまま排水溝へと流しても環境に利害を与えることがなくなる。
【００５１】
図４は、本発明である空気圧を利用した揚排水ポンプの第２実施例を家庭の浴室で、循環式風呂釜を清掃している状態を示した図であるとともに、揚排水ポンプの拡大を示した図である。本例の空気圧を利用した揚排水ポンプ１ａは、吸盤１８を取り付けるとともに、家庭用の掃除機２２により駆動させる構造としたことに特徴がある。
【００５２】
図４に示すように、浴室で本発明である空気圧を利用した揚排水ポンプ１ａを使用する場合、空気用ポンプ部２の上ケーシングカバー２ａの数カ所に取り付け用の吸盤１８、１８、１８・・・を取り付けることで、前記吸盤１８、１８、１８・・・を用いて浴室の壁２１や床２１ａ等に固定して使用することができる。
【００５３】
図４に示すように、本発明である空気圧を利用した揚排水ポンプ１ａは、表側に水用ポンプ部６を配置し、浴室壁２１側に空気用ポンプ部２を取り付けた構造の空気圧を利用した揚排水ポンプ１ａとした。
【００５４】
本例の空気圧を利用した揚排水ポンプ１ａの水用ポンプ部６は、下ケーシングカバー６ａの外周面下部に水吸込口６ｂが突設され、前記水吸込口６ｂに隣接して水吐出口６ｃが同様に突設されている。また、下ケーシングカバー６ａの外周面上部には洗浄剤投入口６ｄが突設してある。
【００５５】
本例の空気圧を利用した揚排水ポンプ１ａの後部に取り付けられた空気用ポンプ部２は、上ケーシングカバー２ａの数カ所に吸盤１８が取り付けられている。これは、空気圧を利用した揚排水ポンプ１ａを浴室壁２１や床２１ａ、あるいは天井等に吸着させて安定させて使用するための吸盤である。
【００５６】
空気用ポンプ部２の上ケーシングカバー２ａの外周面上部には、空気吸込口２ｂが突設され、空気吸込口２ｂの先端には壁や天井からしたたり落ちた水滴が空気用ポンプ部２内に入り込むのを防ぐための保護カバー２ｄが取り付けられている。また、空気吐出口２ｃが突設してある。
【００５７】
以下に、本例の空気圧を利用した揚排水ポンプ１ａを家庭用の浴室に取り付けられている循環式風呂釜２０の内部を洗浄するために使用する場合の使用方法を説明する。
【００５８】
本例の空気圧を利用した揚排水ポンプ１ａの後部に取り付けられた空気用ポンプ部２の空気吐出口２ｃの先端にはホース１６の一方の端を接続し、ホース１６のもう一方の端は本例の空気圧を利用した揚排水ポンプ１ａを駆動する家庭用掃除機２２のホース２２ａの先端に接続する。家庭用掃除機２２は、強弱スイッチ２２ｂで空気の吸引力の調節をすることができる。
【００５９】
空気圧を利用した揚排水ポンプ１ａの前部に取り付けられた水用ポンプ部６の水吸込口６ｂには浴槽１９内の水が吸い込める長さの給水パイプ１５を接続し、水吐出口６ｃには、水吐出口６ｃと浴槽１９内の吸込口２０ａとをつなぐための排水パイプ１４を接続する。
【００６０】
浴槽１９内の釜湯吐出口２０ｃには、別の排水パイプ１４ａを接続する。ここで、釜湯吐出口２０ｃに別の排水パイプ１４ａを接続するのは、浴槽１９外部に水を吐き出すためである。
【００６１】
水用ポンプ部６の下ケーシングカバー６ａに設けた洗浄剤投入口６ｄからは、家庭の浴室で給湯するための循環式風呂釜２０の内部の湯沸かし用配管２０ｂを洗浄する洗浄剤を投入しておく。
【００６２】
本例の空気圧を利用した揚排水ポンプ１ａを駆動する駆動源である家庭用掃除機２２のスイッチを入れると、空気用ポンプ部２が駆動し、空気用ポンプ部２から伝えられる空気圧を受けて水用ポンプ部６の内部の水用羽根車９が回転し水用ポンプ部６が駆動する。即ち、給水パイプ１５から水吸込口６ｂを通り水用ポンプ部６内に浴槽１９内の水が吸い上げられる。
【００６３】
水用ポンプ部６内に吸い上げられた水は、洗浄剤投入口６ｄから投入された洗浄剤と混合し水吐出口６ｃから吐き出され、排水パイプ１４を伝って吸込口２０ａから循環式風呂釜２０内部の湯沸かし用配管２０ｂへと入り込み、釜湯吐出口２０ｃから排水パイプ１４ａを伝って浴槽１９の外へ排水される。
【００６４】
前記湯沸かし用配管２０ｂの内部を水用ポンプ部６内で、洗浄剤投入口６ｄから投入された洗浄剤と混合された水が流れていくことで、湯沸かし用配管２０ｂの内部を洗浄することができる。
【００６５】
図５及び図６は、本発明である空気圧を利用した揚排水ポンプに蛸形状のカバーを取り付け使用している状態を示した図である。図５は、本発明である空気圧を利用した揚排水ポンプに蛸形状のカバーを取り付け、排水方向切替コックを開放状態にした図であり、図６は排水方向切替コックを閉止状態にした図である。
【００６６】
図５及び図６に示すように、本発明である空気圧を利用した揚排水ポンプ１には、蛸形カバー２３を取り付け使用することができる。前記蛸形カバー２３は、蛸の８本の脚をそれぞれ、フレキシブルパイプ２３ａ、排水パイプカバー２３ｄ、排水パイプカバー２３ｅ、給水パイプカバー２３ｆ、排水パイプカバー２３ｇ、掃除機ホースカバー２３ｉ、固定脚２３ｃ、２３ｈとしている。更に蛸の口の部分を洗浄剤投入口２３ｋとし、前記洗浄剤投入口２３ｋの下にはリボン形の排水方向切替コック２３ｊが設けられている。
【００６７】
フレキシブルパイプ２３ａの先端は空気取入口２３ｂが設けられ、壁に吸着させるための吸盤２４が取り付けられている。また、固定脚２３ｃ、２３ｈにもそれぞれ壁に吸着させるための吸盤２４が取り付けられている。前記吸盤を壁に吸着させることにより、蛸形カバー２３を固定することができる。
【００６８】
蛸形カバー２３の下部に設けられた蛸の脚の部分である排水パイプカバー２３ｄは、吸込口２０ａに接続されている排水パイプ１４をカバーし、排水パイプカバー２３ｅは、釜湯吐出口２０ｃに接続された排水パイプ１４ａをカバーし、給水パイプカバー２３ｆは、浴槽内の水を吸い込むための給水パイプ１５をカバーし、排水パイプカバー２３ｇは、水を浴槽の外へ排出するための排水パイプ１４ｂをカバーしている。
【００６９】
蛸形カバー２３に設けられたリボン形の排水方向切替コック２３ｊを開放状態又は閉止状態にすることで排水の方向を切り替えることができる。図５は、前記排水方向切替コック２３ｊを開放状態にした図である。
図５に示すように、排水方向切替コック２３ｊはリボンが横向きになっている状態が開放状態である。
【００７０】
排水方向切替コック２３ｊが開放状態の場合、フィルター１５ａを透過して給水パイプカバー２３ｆにカバーされた給水パイプ１５から吸い上げられた水２５は、排水方向切替コック２３ｊ内に設けられたバルブを通り、排水パイプカバー２３ｄにカバーされた排水パイプ１４を通って吸込口２０ａから湯沸かし用配管２０ｂ内へ吸い込まれる。前記湯沸かし用配管２０ｂ内を通過した水は、釜湯吐出口２０ｃから排水パイプ１４ａへと吐き出される。符号２５ａで示した矢印は釜湯吐出口２０ｃから吐き出された水の流れを示す矢印である。
【００７１】
釜湯吐出口２０ｃから排水パイプカバー２３ｅにカバーされた排水パイプ１４ａへと吐き出された水２５ａは、排水方向切替コック２３ｊが開放されているために、そのまま排水パイプカバー２３ｇにカバーされた排水パイプ１４ｂへと吐き出され、浴槽１９の外へと排出２５ｂされる。
【００７２】
図６は、本発明である空気圧を利用した揚排水ポンプに蛸形カバーを取り付け、排水方向切替コックを閉止状態にした図である。図６に示すように、排水方向切替コック２３ｊは、リボンが縦向きになっている状態が閉止状態である。
【００７３】
排水方向切替コック２３ｊが閉止状態の場合、給水パイプカバー２３ｆにカバーされた給水パイプ１５から吸い上げられた水２５は、洗浄剤投入口２３ｋから投入された湯沸かし用配管２０ｂを洗浄するための洗浄剤と混合し、排水パイプカバー２３ｄにカバーされた排水パイプ１４へと吐き出される。
【００７４】
洗浄剤と混合し、排水パイプ１４へ吐き出された水２５は、吸込口２０ａから湯沸かし用配管２０ｂ内を通り、釜湯吐出口２０ｃに接続された排水パイプ１４ａへと吐き出される。
【００７５】
排水方向切替コック２３ｊが閉止状態の場合、釜湯吐出口２０ｃから排水パイプ２３ｅにカバーされた排水パイプ１４ａへと吐き出された水２５ａは、排水パイプ１４ｂ方向へ流れることなく、再度、排水パイプ１４へと吐き出され、湯沸かし用配管２０ｂ内を通り、排水パイプ１４ａへと吐き出される。即ち、水２５は排水パイプ１４→湯沸かし用配管２０ｂ→排水パイプ１４ａ→排水パイプ１４・・・・と排水パイプ１４、湯沸かし用配管２０ｂ、排水パイプ１４ａ内を循環し、湯沸かし用配管２０ｂ内を洗浄する。
【００７６】
パイプ内を循環し、湯沸かし用配管２０ｂ内を洗浄した水２５は、最後に排水方向切替コックを開放状態に戻すことで、排水パイプカバー２３ｇにカバーされた排水パイプ１４ｂへと吐き出され、浴槽１９の外へと排出２５ｂされるのである。
【００７７】
【発明の効果】
本発明は、以上に説明したような構成であるから、以下の効果が得られる。第１に、本発明である空気圧を利用した揚排水ポンプは、ポンプ本体に電気的構造を無くしたことで、ポンプ駆動部を構造上極めて簡素化したことで小型、軽量化し、家庭内での作業や極めて簡易な揚排水にも使用しやすく、電気的構造が無いことから漏電等による引火爆発等の心配が無く安全に使用できる。
【００７８】
第２に、ケーシングカバーやケーシング等を透明または半透明樹脂により成型することで、小型軽量化するだけでなく、耐腐食性にも優れ、内部を見ることができるために、内部構造や流体の動き、部品消耗の度合いが監視できる。
【００７９】
第３に、吸盤を取り付けることで、浴室内の壁や床、天井などに吸着させての使用、保管が可能となり、更に小型軽量であるために、保管場所が簡易である。
【００８０】
第４に、ポンプ本体を樹脂で成型することで小型軽量、耐腐食性に優れ、透明または半透明樹脂にすることで内部構造及び流体の動きを監視できることを特徴とする機構であり、さらにポンプ本体の振動を抑制する吸盤を設置できることで浴室内壁などに吸着させて保管することを特徴とする機構である。
【図面の簡単な説明】
【図１】本発明である空気圧を利用した揚排水ポンプの全体構造を示した斜視図である。
【図２】本発明である空気圧を利用した揚排水ポンプの縦断面を示した図である。
【図３】本発明である空気圧を利用した揚排水ポンプに電気掃除機のホースを接続して水槽内に入れて揚排水に使用している状態を示した図である。
【図４】本発明である空気圧を利用した揚排水ポンプに電気掃除機のホースを接続し循環式風呂釜の内部をクリーニングしている状態を示した図である。
【図５】本発明である空気圧を利用した揚排水ポンプに蛸形状のカバーを取り付け、排水方向切替コックを開放状態にした図である。
【図６】本発明である空気圧を利用した揚排水ポンプに蛸形状のカバーを取り付け、排水方向切替コックを閉止状態にした図である。
【符号の説明】
１　　　　　揚排水ポンプ
１ａ　　　　揚排水ポンプ
２　　　　　空気用ポンプ部
２ａ　　　　上ケーシングカバー
２ｂ　　　　空気吸込口
２ｃ　　　　空気吐出口
２ｄ　　　　保護カバー
３　　　　　ケーシング
３ａ　　　　空気流入口
４　　　　　空気用羽根車
４ａ　　　　羽根
４ｂ　　　　先端部
４ｃ　　　　基部
５　　　　　回転軸
５ａ　　　　回転板
５ｂ　　　　ギア
５ｃ　　　　ギア
６　　　　　水用ポンプ部
６ａ　　　　下ケーシングカバー
６ｂ　　　　水吸込口
６ｃ　　　　水吐出口
６ｄ　　　　洗浄剤投入口
７　　　　　圧力調整器
７ａ　　　　圧力調整弁
８　　　　　ケーシング
８ａ　　　　水流入口
９　　　　　水用羽根車
９ａ　　　　回転板
９ｂ　　　　　　　　回転軸
９ｃ　　　　　　　　羽根
９ｄ　　　　　　　　先端部
９ｅ　　　　　　　　基部
１０　　　　　調整ギア
１１　　　　　矢印
１１ａ　　　　矢印
１１ｂ　　　　　　　　矢印
１２　　　　　矢印
１３　　　　　水槽
１４　　　　　排水パイプ
１４ａ　　　　排水パイプ
１４ｂ　　　　排水パイプ
１５　　　　　給水パイプ
１５ａ　　　　フィルター
１６　　　　　ホース
１７　　　　　業務用掃除機
１７ａ　　　　掃除機ホース
１８　　　　　吸盤
１９　　　　　浴槽
２０　　　　　循環式風呂釜
２０ａ　　　　吸込口
２０ｂ　　　　湯沸かし用配管
２０ｃ　　　　釜湯吐出口
２１　　　　　浴室壁
２１ａ　　　　浴室床
２２　　　　　家庭用掃除機
２２ａ　　　　掃除機ホース
２２ｂ　　　　強弱スイッチ
２３　　　　　蛸形カバー
２３ａ　　　　フレキシブルパイプ
２３ｂ　　　　空気取入口
２３ｃ　　　　固定脚
２３ｄ　　　　排水パイプカバー
２３ｅ　　　　排水パイプカバー
２３ｆ　　　　給水パイプカバー
２３ｇ　　　　排水パイプカバー
２３ｈ　　　　固定脚
２３ｉ　　　　掃除機ホースカバー
２３ｊ　　　　排水方向切替コック
２３ｋ　　　　洗浄剤投入口
２４　　　　　吸盤
２５　　　　　水
２５ａ　　　　吐き出された水
２５ｂ　　　　排出
【図１】
2004076598.tif 000003
【図２】
2004076598.tif 000004
【図３】
2004076598.tif 000005
【図４】
2004076598.tif 000006
【図５】
2004076598.tif 000007
【図６】
2004076598.tif 000008